(57)【要約】      （修正有）【課題】カバー部材がガタつかないように支持され、且つ、ランプを容易に交換することができる照明器具を提供する。【解決手段】器具本体２０の前方を覆う透光性のカバー部材３０は、器具本体２０およびカバー部材３０に設けられている第１のネジ貫通穴２５および第２のネジ貫通穴３４を貫通するネジ３１により、回動可能に器具本体２０に取り付けられている。ネジ３１に締結されているナット２９は、第１のネジ貫通穴２５を拡径して設けられているバネ収納凹部２６に連続してさらに拡径して設けられているナット収納凹部２７に、移動可能に収納されている。また、バネ収納凹部２６にはスプリングバネ２８が圧縮されて収納されており、ナット２９をスプリングバネ２８が伸張する方向へ付勢している。【選択図】図２
2010287529.tif 000002
【特許請求の範囲】
【請求項１】
光源を収容する器具本体と、前記器具本体の前方を覆う透光性のカバー部材と、を有し、
前記カバー部材がネジにより前記器具本体に対して回動可能に取り付けられた照明器具であって、
前記器具本体または前記カバー部材の一方には、前記ネジが貫通する第１のネジ貫通穴を設けるとともに当該第１のネジ貫通穴の軸方向中央部を拡径してバネ収納凹部を設け、当該バネ収納凹部に連続してさらに拡径してナット収納凹部を設け、
前記器具本体または前記カバー部材の他方には、前記第１のネジ貫通穴に対応する第２のネジ貫通穴を設け、
前記ネジを前記第１のネジ貫通穴および前記第２のネジ貫通穴を貫通して設けるとともに前記ネジの外側に前記バネ収納凹部よりも長いスプリングバネを配設し、前記ナット収納凹部に収納されるナットを前記ネジに締結して前記スプリングバネを圧縮し、
前記ナットは前記ナット収納凹部において前記スプリングを圧縮する方向へ移動可能に設けられ、
前記カバー部材と前記器具本体との接触面に係合部を設けたことを特徴とする照明器具。
【請求項２】
前記ナットと前記バネ収納凹部との間の隙間は、前記係合部の係合長さよりも大きいことを特徴とする請求項１記載の照明器具。
【発明の詳細な説明】
【技術分野】
【０００１】
本発明は、光源を収容する器具本体の前方を覆う透光性のカバー部材を有する照明器具に関する。
【背景技術】
【０００２】
従来の照明器具には、光源を収容する器具本体の前方を覆う透光性のカバー部材を有するものがある（例えば特許文献１参照）。
以下、図５により従来の照明器具について説明する。この照明器具１００では、器具本体１０１に直管形蛍光ランプ１０２が収容されており、器具本体１０１の開口面には、透光性のカバー部材として複数のルーバー１０３が取り付けられている。ルーバー１０３は、器具本体１０１の側縁部１０４に支持部１０５が回動可能に支持されており、器具本体１０２の開口面を開閉する。なお、器具本体１０１の内部には、蛍光ランプ１０２を取り付けるソケット１０６、蛍光ランプ１０２の光を反射する反射板１０７等が設けられている。
【０００３】
器具本体１０１の側縁部１０４には断面略円形のポケット溝１０４ａが設けられており、ポケット溝１０４ａは開口１０４ｂを有する。一方、ルーバー１０３の支持部１０５は、断面円形の軸部１０５ａと、軸部１０５ａを先端に有する支持材１０５ｂを有する。
従って、支持材１０５ｂを開口１０４ｂに通して軸部１０５ａをポケット溝１０４ａに嵌合させることにより、ルーバー１０３は所定の角度の範囲で器具本体１０１により回動可能に支持される。
【先行技術文献】
【特許文献】
【０００４】
【特許文献１】特開２００４−１７２０３１号公報（第９図）
【発明の概要】
【発明が解決しようとする課題】
【０００５】
しかしながら、前述した従来の照明器具１００においては、ルーバー１０３を開閉することにより容易に蛍光ランプ１０２を交換することができるものの、ルーバー１０３は閉じる方向へ付勢されていないため、ガタつくという問題があった。
【０００６】
本発明は、従来の問題を解決するためになされたもので、カバー部材がガタつかないように支持され、且つ、ランプを容易に交換することができる照明器具を提供することを目的とする。
【課題を解決するための手段】
【０００７】
本発明の照明器具は、光源を収容する器具本体と、前記器具本体の前方を覆う透光性のカバー部材と、を有し、前記カバー部材がネジにより前記器具本体に対して回動可能に取り付けられた照明器具であって、前記器具本体または前記カバー部材の一方には、前記ネジが貫通する第１のネジ貫通穴を設けるとともに当該第１のネジ貫通穴の軸方向中央部を拡径してバネ収納凹部を設け、当該バネ収納凹部に連続してさらに拡径してナット収納凹部を設け、前記器具本体または前記カバー部材の他方には、前記第１のネジ貫通穴に対応する第２のネジ貫通穴を設け、前記ネジを前記第１のネジ貫通穴および前記第２のネジ貫通穴を貫通して設けるとともに前記ネジの外側に前記バネ収納凹部よりも長いスプリングバネを配設し、前記ナット収納凹部に収納されるナットを前記ネジに締結して前記スプリングバネを圧縮し、前記ナットは前記ナット収納凹部において前記スプリングを圧縮する方向へ移動可能に設けられ、前記カバー部材と前記器具本体との接触面に係合部を設けた構成を有している。
【０００８】
この構成により、器具本体の前方を覆う透光性のカバー部材は、器具本体およびカバー部材に設けられている第１のネジ貫通穴および第２のネジ貫通穴を貫通するネジにより、回動可能に器具本体に取り付けられているので、ランプを容易に交換することができる。ネジに締結されているナットは、第１のネジ貫通穴を拡径して設けられているバネ収納凹部に連続してさらに拡径して設けられているナット収納凹部に、移動可能に収納されている。また、バネ収納凹部にはスプリングバネが圧縮されて収納されており、ナットをスプリングバネが伸張する方向へ付勢している。これにより、器具本体とカバー部材とが、相互に押圧するように接触するので、カバー部材はガタつくことなく器具本体に取り付けられる。また、カバー部材と器具本体との接触面に係合部が設けられているので、カバー部材は器具本体に対して所定位置に位置決めされてずれない。
【０００９】
また、本発明の照明器具は、前記ナットと前記バネ収納凹部との間の隙間は、前記係合部の係合長さよりも大きい構成を有している。
【００１０】
この構成により、ナットとバネ収納凹部との間の隙間は、係合部の係合長さよりも大きいので、スプリングバネに抗してカバー部材を引出して係合部を解放することができ、ネジを中心としてカバー部材を回動させることができる。これにより、カバー部材の落下を防止して、ランプを容易に交換することができる。
【発明の効果】
【００１１】
本発明では、カバー部材を器具本体に回動可能に取り付けるネジに締結されているナットは、第１のネジ貫通穴を拡径して設けられているバネ収納凹部に連続してさらに拡径して設けられているナット収納凹部に、移動可能に収納されている。また、バネ収納凹部にはスプリングバネが圧縮されて収納されており、ナットをスプリングバネが伸張する方向へ付勢している。これにより、器具本体とカバー部材とが、相互に押圧するように接触するので、カバー部材はガタつくことなく器具本体に取り付けられる。また、カバー部材と器具本体との接触面に係合部が設けられているので、カバー部材は器具本体に対して所定位置に位置決めされてずれないという効果を有する照明器具を提供できる。
【図面の簡単な説明】
【００１２】
【図１】(Ａ)は本発明に係る実施形態の照明器具を示す斜視図、(Ｂ)はフードを回動して開けた状態を示す斜視図
【図２】フードをセードに装着した通常使用時の断面図
【図３】フードを前方へ移動させた状態の断面図
【図４】（Ａ）はセードの係合凸部を前方から見た斜視図、（Ｂ）はフードの係合凹部を後方から見た斜視図
【図５】従来の照明器具の断面図
【発明を実施するための形態】
【００１３】
以下、本発明の実施形態の照明器具について、図面を用いて説明する。
図１に示すように、本発明に係る実施形態の照明器具１０は、光源であるランプ２１を収容する器具本体２０を有する。器具本体２０は、ランプ２１を収容して電力を供給する灯具２２と、灯具２２の前側に取り付けられてランプ２１からの光を所定の方向へ照射するセード２３とを有する。セード２３の照射方向前側には、器具本体２０の前方を覆う透光性のカバー部材であるフード３０が、ネジ３１により回動可能に取り付けられている(図１(Ｂ)参照)。
【００１４】
このような照明器具１０は、灯具２２に支持部材(図示省略)を設けることにより、例えば天井に敷設されたレールに沿って移動可能なスポットライトとして使用することができる。
【００１５】
灯具２２は有底の円筒形状をしており、内部にランプ２１やランプ装着用のソケット(図示省略)等を収容する。セード２３は、灯具２２の先端部に外嵌される円筒形状をしており、外周面２３１の一部にセード側回転支持部２４が突設されている。フード３０は、セード２３と略同径の円筒形状をしており、先端の開口には透光性のカバー３３が取り付けられてランプ２１を保護している。フード３０の外周面３０１の一部には、ネジ３１によってセード側回転支持部２４に回転可能に支持されるフード側回転支持部３２が突設されている。セード側回転支持部２４およびフード側回転支持部３２は同じ断面形状を有しており、フード３０をセード２３の前方へ取り付けた通常使用状態で、外観的に一体化する(図１(Ａ)参照)。
【００１６】
図４に示すように、セード２３とフード３０との接触面には、係合部を設けるのが望ましい。係合部としては、例えばセード２３の前面２３４に前方へ突出する係合凸部２３２を設け、フード３０の後面３０３に係合凹部３０２を設けて、係合凸部２３２が係合凹部３０２に係合するようにすることができる。係合凹部３０２の深さＨ２は、少なくとも係合凸部２３２の高さＨ１よりも大きくする。これにより、係合状態では、セード２３の前面２３４とフード３０の後面３０３とが、接触する。
【００１７】
なお、逆に、セード２３に係合凹部を設け、フード３０に係合凸部２３２を設けることもできる。いずれの場合も、係合部の係合長さは、係合凸部２３２の高さＨ１（図３参照）となる。
また、係合凸部２３２および係合凹部３０２は、図４（Ａ）および（Ｂ）に示すように、それぞれセード２３およびフード３０の全周にわたって設けることができるが、対応する一部の位置のみに設けることもできる。
【００１８】
図２および図３に示すように、器具本体２０としてのセード２３またはフード３０の一方であるセード２３のセード側回転支持部２４には、ネジ３１が貫通する第１のネジ貫通穴２５を設けるとともに、この第１のネジ貫通穴２５の軸方向中央部を拡径してバネ収納凹部２６が設けられている。また、バネ収納凹部２６に連続してさらに拡径してナット収納凹部２７が設けられている。
【００１９】
バネ収納凹部２６は、スプリングバネ２８が収容できる内径を有する円形断面の空間とすることができる。ナット収納凹部２７は、ナット２９が回転せずに往復移動できるような、六角形断面の空間とすることができる。これにより、ネジ３１を回転させたときに、ナット２９の供回りを防止できる。ナット収納凹部２７は、セード側回転支持部２４の後面２４１に開口（開口２４２）しており、ネジ３１に螺合するナット２９は開口２４２から挿入されて収納される。
【００２０】
器具本体２０としてのセード２３またはフード３０の他方としてのフード３０のフード側回転支持部３２には、ネジ３１が貫通する第２のネジ貫通穴３４が、第１のネジ貫通穴２５と同軸で設けられている。
【００２１】
バネ収納凹部２６には、バネ収納凹部２６の長さＬ１よりも長い自然長Ｌ２を有するスプリングバネ２８が、ネジ３１の外側に配設されており、ナット収納凹部２７まで延びている。ナット２９をネジ３１に螺合させ、ネジ３１を回転させてナット２９を前進させることにより、スプリングバネ２８を圧縮状態（図２に示す状態）とする。これにより、スプリングバネ２８の前端はバネ収納凹部２６の前壁に当接し、後端はナット２９の前面に当接する。
【００２２】
従って、ナット２９は、スプリングバネ２８によって後方へ付勢されるので、ナット２９が締結されているネジ３１は、スプリングバネ２８によって後方へ付勢されることになる。これにより、ネジ３１の頭部３１１が係止されているフード側回転支持部３２が後方へ付勢されるので、セード側回転支持部２４に押し付けられる。同時に、セード２３の係合凸部２３２がフード３０の係合凹部３０２に嵌合して押し付けられる。
【００２３】
フード３０がセード２３の前方に嵌合して取り付けられている通常使用時においては、ナット２９とバネ収納凹部２６との間の隙間、すなわち、ナット収納凹部２７におけるナット２９の移動可能距離Ｌ３は、少なくとも、セード２３とフード３０の係合長さＨ１よりも大きく設定する。これにより、ナット２９がバネ収納凹部２６に当接する限界までフード３０を前方へ移動（移動可能距離Ｌ３）させると、セード２３の最先端である係合凸部２３２の前端面２３３と、フード３０の後面３０３との間には、空間Ｓが形成される。
【００２４】
次に、ランプ２１の交換等におけるフード３０の回転作業について説明する。
まず、通常使用時の嵌合状態にあるフード３０を、ナット２９がバネ収納凹部２６に当接するまで前方へ移動させる。この状態では、セード２３の最先端である係合凸部２３２の前端面２３３と、フード３０の後面３０３との間には、空間Ｓ（図３参照）が形成されるので、フード３０を前方へ引っ張った状態でネジ３１を中心としてフード３０を回転させる。
【００２５】
また、通常使用状態に戻す際には、フード３０を前方へ引っ張った状態でネジ３１を中心としてフード３０を回転させ、セード２３の係合凸部２３２をフード３０の係合凹部３０２に嵌合させる。手を離すと、スプリングバネ２８の付勢力により、嵌合してフード３０がセード２３に押し付けられる。
【００２６】
以上、説明した本発明の実施形態に係る照明器具１０によれば、ネジ３１に締結されているナット２９は、第１のネジ貫通穴２５を拡径して設けられているバネ収納凹部２６に連続してさらに拡径して設けられているナット収納凹部２７に、移動可能に収納されている。また、バネ収納凹部２６にはスプリングバネ２８が圧縮されて収納されており、ナット２９をスプリングバネ２８が伸張する方向（すなわち、後方）へ付勢している。これにより、セード２３とフード３０とが、相互に押圧するように接触するので、フード３０はガタつくことなくセード２３に取り付けられる。また、フード３０とセード２３との接触面に係合部３０２、２３２が設けられているので、フード３０はセード２３に対して所定位置に位置決めされてずれない。
【００２７】
また、ナット２９とバネ収納凹部２６との間であるナット２９の移動可能距離Ｌ３は、係合部の係合長さＨ１よりも大きく設定されており、スプリングバネ２８に抗してフード３０を前方へ引出して係合部を解放することができるので、ネジ３１を中心としてフード３０を回動させることができる。これにより、フード３０の落下を防止して、ランプ２１を容易に交換することができる。
【００２８】
なお、本発明の照明器具は、前述した実施形態に限定されるものでなく、適宜な変形，改良等が可能である。
例えば、前述した実施形態においては、器具本体２０を構成する灯具２２の前にセード２３を設けた場合を例示したが、本発明はセード２３を設けない場合にも適用可能である。この場合には、器具本体２０としての灯具２２の前端面にフード３０が取り付けられることになり、前述したセード２３に設けられているセード側回転支持部２４と同様の回転支持部および係合部が、灯具２２に設けられる。
【００２９】
また、前述した実施形態においては、セード側回転支持部２４にナット２９およびスプリングバネ２８を設ける構造としたが、フード側回転支持部３２にナットおよびスプリングバネを設けることもできる。
【符号の説明】
【００３０】
１０  照明器具
２１  ランプ（光源）
２２  灯具（器具本体）
２３  セード（器具本体）
２３２  係合凸部（係合部）
２４  セード側回転支持部（一方）
２５  第１のネジ貫通穴
２６  バネ収納凹部
２７  ナット収納凹部
２８  スプリングバネ
２９  ナット
３０  フード（カバー部材）
３０２  係合凹部（係合部）
３１  ネジ
３２  フード側回転支持部（他方）
３４  第２のネジ貫通穴
Ｌ３  移動可能距離（隙間）
Ｈ１  係合凸部の高さ（係合長さ）
【図１】
2010287529.tif 000003
【図２】
2010287529.tif 000004
【図３】
2010287529.tif 000005
【図４】
2010287529.tif 000006
【図５】
2010287529.tif 000007